(57)【要約】【課題】丁張掛け作業の省力化、省資源化及び作業効率の向上に寄与し得る丁張用固定具を提供する。【解決手段】丁張用固定具１に、丁張板の一側面を支持する背面部１１３、丁張板の下端部を支持する底面部１１４、及び、丁張板の上端部をネジ先で押圧することによって丁張板を固定するための板固定ネジ１１９が端部付近に設けられた天面部１１２を有する丁張板保持部１１と、固定ネジ１２２、及び、そのネジ先に対向するよう配された把持板１２１を有する杭把持部１２と、杭把持部１２に溶接された連結軸１３１、連結軸１３１に溶接されたストッパー１３２、及び、背面部１１３の中心部に形成され、連結軸１３１を軸支する挿通孔１１８、並びに、背面部１１３の丁張板が取り付けられる側面に形成されたストッパー収容部１３３が設けられ、杭把持部１２と丁張板保持部１１とを回動可能に連結する連結部１３とを備える。【選択図】図１
2018185189.tif 000002
【特許請求の範囲】
【請求項１】
杭に丁張板を固定するための丁張用固定具であって、
丁張板の一側面を支持する背面部、丁張板の下端部を支持する底面部、及び、丁張板の上端部をネジ先で押圧することによって丁張板を固定するための板固定ネジが端部付近に設けられた天面部を有し、断面視コの字状をなす丁張板保持部と、
固定ネジ、及び、該固定ネジのネジ先に対向するよう配された把持板を有し、前記丁張板保持部の背面部の中心部に回動可能に連結された杭把持部と、
前記杭把持部に溶接された連結軸、該連結軸に溶接されたストッパー、及び、前記丁張板保持部の背面部の中心部に形成され、前記連結軸を軸支する挿通孔、並びに、前記丁張板保持部の背面部の丁張板が取り付けられる側面に形成され、前記ストッパーの厚み以上の深さを有する凹部であるストッパー収容部が設けられ、前記杭把持部と前記丁張板保持部とを回動可能に連結する連結部と、
を備える丁張用固定具。
【請求項２】
請求項１に記載の丁張用固定具であって、さらに、
前記丁張板保持部の底面部が、長さ方向の中心部において、前記背面部が接続されている側と反対向きに一部突出して形成されたスタッフ支持部を備える丁張用固定具。
【請求項３】
丁張板に丁張板を固定するための丁張用固定具であって、
丁張板の一側面を支持する背面部、丁張板の下端部を支持する底面部、及び、丁張板の上端部をネジ先で押圧することによって丁張板を固定するための板固定ネジが端部付近に設けられた天面部を有し、断面視コの字状をなす第一丁張板保持部と、
前記第一丁張板保持部と略同一構成の第二丁張板保持部と、
前記第一丁張板保持部の背面部の中心部に溶接された連結軸、前記連結軸に溶接されたストッパー、及び、前記第二丁張板保持部の背面部の中心部に形成され、前記連結軸を軸支する挿通孔、並びに、前記第二丁張板保持部の背面部の丁張板が取り付けられる側面に形成され、前記ストッパーの厚み以上の深さを有する凹部であるストッパー収容部が設けられ、前記第一丁張板保持部及び第二丁張板保持部の背面部同士を回動可能に連結する連結部と、
を備える丁張用固定具。
【発明の詳細な説明】
【技術分野】
【０００１】
本発明は、土木工事の現場における丁張掛け作業の省力化、省資源化及び作業効率の向上に寄与し得る丁張用固定具に関する。
【背景技術】
【０００２】
土木工事の現場においては、施工図面に基づいて、着工前あるいは工事の途中に、地盤の成形や構造物を施工する際に基準となる位置や高さ、法面の角度等を出すための丁張掛け作業が行われる。従来の丁張は、木製の杭に、丁張板（貫板）と呼ばれる長方形の木製板材が、釘を用いて打ちつけられることにより設置されていた。
【０００３】
しかしながら、釘によって打ちつけられた丁張の場合、解体が容易ではなく、杭や丁張板を再利用することは難しかった。また、固定に釘が用いられることから、杭が木製でないといけないという制約があり、凍結した地表面や岩盤等に杭を打ち込むことは容易ではなかった。さらにまた、施工が進むに従って丁張板が邪魔になってくる場合もあり、このような際に、一時的に丁張板を取り外したり、再び取り付けたりする作業は、煩雑なものであった。
【０００４】
そこで、図１２に示すような丁張用具４が考案されている（特許文献１を参照）。この丁張用具４は、金属製の杭部材４１と、丁張板の代わりとなる金属製の長尺部材４２と、釘の代わりとなる保持具４３とからなり、これらの部材を組み合わせて用いることで、丁張掛けを行うことができる。保持具４３は、杭部材４１を内部に挿通できる杭把持部４３１と、断面がコの字状で内部に長尺部材４２を保持できる長尺部材保持部４３２とを主要部として有し、杭把持部４３１と長尺部材保持部４３２とは、連結ボルト４３３を介して回動可能に連結されている。また、杭把持部４３１は、杭部材４１に保持具４３を固定するための締付ボルト４３４を有し、長尺部材保持部４３２は、長尺部材４２を保持具４３に固定するための締付ボルト４３５を有している。さらに、長尺部材４２は、保持具４３の連結ボルト４３３を避けるために、断面がコの字状であるという特徴を有する。
【０００５】
この丁張用具４を用いれば、杭部材４１及び長尺部材４２を、保持具４３の締付ボルト４３４及び４３５の緩締により着脱させることができるので、各部材の再利用が容易となる。また、杭部材４１が金属製であることにより、木製の杭を用いる場合に比べて、固い地盤に杭を打ち込む際の労力が軽減される。さらにまた、保持具４３の長尺部材保持部４３２の締付ボルト４３５のみを緩締することで、杭部材４１に対する保持具４３の固定位置を維持したままで、長尺部材４２のみを取り外し、再取り付け可能となる。
【０００６】
しかしながら、この丁張用具４を使用する場合には、一般的な木製の丁張板の代わりに、保持具４３の形状に合わせた専用の長尺部材４２を準備する必要がある。さらに、長尺部材４２が金属製であるため、現場に合わせて長さを調整するには、予め複数種類の長さの長尺部材４２を準備する必要がある。これらの準備段階における制約への対応は、非効率的かつ非経済的である。また、丁張の角度を調整する際には、保持具４３の連結ボルト４３３を緩める必要があり、固定状態の安定性の面で問題がある。
【先行技術文献】
【特許文献】
【０００７】
【特許文献１】実用新案登録第３１２１９０６号公報
【発明の概要】
【発明が解決しようとする課題】
【０００８】
本発明は、従来のこのような問題点に鑑み、特許文献１に開示された丁張用具４を使用する利点を有しながら、釘により固定される木製の丁張の安定性及び準備容易性を兼ね備えた丁張掛けを実現すべくなされたものである。本発明の目的の一は、丁張掛け作業の省力化、省資源化及び作業効率の向上に寄与し得る丁張用固定具を提供することにある。
【課題を解決するための手段】
【０００９】
本発明の第１の側面に係る丁張用固定具は、杭に丁張板を固定するための丁張用固定具であって、丁張板の一側面を支持する背面部、丁張板の下端部を支持する底面部、及び、丁張板の上端部をネジ先で押圧することによって丁張板を固定するための板固定ネジが端部付近に設けられた天面部を有し、断面視コの字状をなす丁張板保持部と、固定ネジ、及び、該固定ネジのネジ先に対向するよう配された把持板を有し、前記丁張板保持部の背面部の中心部に回動可能に連結された杭把持部と、前記杭把持部に溶接された連結軸、該連結軸に溶接されたストッパー、及び、前記丁張板保持部の背面部の中心部に形成され、前記連結軸を軸支する挿通孔、並びに、前記丁張板保持部の背面部の丁張板が取り付けられる側面に形成され、前記ストッパーの厚み以上の深さを有する凹部であるストッパー収容部が設けられ、前記杭把持部と前記丁張板保持部とを回動可能に連結する連結部とを備えることを特徴としている。
【００１０】
また、本発明の第２の側面に係る丁張用固定具は、さらに、前記丁張板保持部の底面部が、長さ方向の中心部において、前記背面部が接続されている側と反対向きに一部突出して形成されたスタッフ支持部を備えることを特徴としている。
【００１１】
さらにまた、本発明の第３の側面に係る丁張用固定具は、丁張板に丁張板を固定するための丁張用固定具であって、丁張板の一側面を支持する背面部、丁張板の下端部を支持する底面部、及び、丁張板の上端部をネジ先で押圧することによって丁張板を固定するための板固定ネジが端部付近に設けられた天面部を有し、断面視コの字状をなす第一丁張板保持部と、前記第一丁張板保持部と略同一構成の第二丁張板保持部と、前記第一丁張板保持部の背面部の中心部に溶接された連結軸、前記連結軸に溶接されたストッパー、及び、前記第二丁張板保持部の背面部の中心部に形成され、前記連結軸を軸支する挿通孔、並びに、前記第二丁張板保持部の背面部の丁張板が取り付けられる側面に形成され、前記ストッパーの厚み以上の深さを有する凹部であるストッパー収容部が設けられ、前記第一丁張板保持部及び第二丁張板保持部の背面部同士を回動可能に連結する連結部とを備えることを特徴としている。
【発明の効果】
【００１２】
本発明によれば、丁張掛け作業の省力化、省資源化及び作業効率の向上に寄与し得る丁張用固定具を提供できる。
【図面の簡単な説明】
【００１３】
【図１】本発明を適用した第一実施例に係る丁張用固定具を杭把持部側から見た斜視図である。
【図２】本発明を適用した第一実施例に係る丁張用固定具を丁張板保持部側から見た斜視図である。
【図３】本発明を適用した第一実施例に係る丁張用固定具を丁張板保持部の長さ方向の中心部において切断した場合の断面図である。
【図４】本発明を適用した第二実施例に係る丁張用固定具を丁張板保持部側から見た斜視図である。
【図５】本発明を適用した第三実施例に係る丁張用固定具を第一丁張板保持部側から見た斜視図である。
【図６】本発明を適用した第三実施例に係る丁張用固定具を第二丁張板保持部側から見た斜視図である。
【図７】本発明を適用した第三実施例に係る丁張用固定具を第一丁張板保持部及び第二丁張板保持部の長さ方向の中心部において切断した場合の断面図である。
【図８】本発明を適用した第一実施例に係る丁張用固定具の連結部の変形例を説明するための断面図である。
【図９】図９Ａは本発明を適用した丁張用固定具を用いて掛けられた門型丁張の模式図、図９Ｂは本発明を適用した丁張用固定具を用いて掛けられたパターン１の法丁張の模式図、図９Ｃは本発明を適用した丁張用固定具を用いて掛けられたパターン２の法丁張の模式図、図９Ｄは本発明を適用した丁張用固定具を用いて掛けられたトンボ型丁張の模式図である。
【図１０】本発明を適用した丁張用固定具を用いて門型丁張を掛ける際の作業手順を示すフローチャートである。
【図１１】本発明を適用した丁張用固定具を用いて法丁張を掛ける際の作業手順を示すフローチャートである。
【図１２】特許文献１に開示された丁張用具の模式図である。
【図１３】従来の丁張掛け作業における高さ調整の手順を示すフローチャートである。
【発明を実施するための形態】
【００１４】
以下、本発明の実施の形態を図面に基づいて説明する。ただし、以下に示す実施の形態は、本発明の技術思想を具体化するための例示であって、本発明はそれらを以下のものに特定しない。また、本明細書は特許請求の範囲に示される部材を、実施の形態の部材に特定するものでは決してない。特に実施の形態に記載されている構成部品の寸法、材質、形状、その相対的配置等は特に特定的な記載がない限りは、本発明の範囲をそれのみに限定する趣旨ではなく、単なる説明例にすぎない。尚、各図面が示す部材の大きさや位置関係等は、説明を明確にするため誇張していることがある。さらに以下の説明において、同一の名称、符号については同一もしくは同質の部材を示しており、詳細説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。
（第一実施例）
（丁張用固定具１の構成）
【００１５】
本発明を適用した第一実施例に係る丁張用固定具１を杭把持部１２側から見た斜視図を図１に、丁張板保持部１１側から見た斜視図を図２に、丁張板保持部１１の長さ方向の中心部において切断した場合の断面図を図３に示す。これらの図に示すように、丁張用固定具１は、丁張板保持部１１と杭把持部１２とが連結部１３によって回動可能に連結された構成となっている。
（丁張板保持部１１）
【００１６】
丁張板保持部１１は、丁張板を丁張用固定具１に固定するための部材であり、図１及び図２に示すように、折り曲げられた板状部材である丁張板保持板１１１に、補助板１１７及び板固定ネジ１１９が取り付けられることで形成される。
【００１７】
丁張板保持板１１１は、例えば、幅１０３ｍｍの長方形の金属板が、幅方向の一端から１６ｍｍ、８１ｍｍ、９７ｍｍのラインで同方向に直角に折り曲げられて形成された部材である。このようにして形成された丁張板保持板１１１は、該一端より、折辺を境界線として、１６ｍｍ幅の天面部１１２と、６５ｍｍ幅の背面部１１３と、１６ｍｍ幅の底面部１１４と、６ｍｍ幅の返し部１１５とに区分される。尚、上記丁張板保持板１１１の寸法は、幅６０ｍｍ、厚み１５ｍｍの丁張板の使用を想定したものである。丁張板保持板１１１の寸法は、これに限定されず、使用する丁張板の幅や厚みに合わせて任意の寸法とすることができる。
【００１８】
これより、丁張板保持板１１１において、背面部１１３に対して天面部１１２及び底面部１１４が設けられた側を手前、その逆側を奥として説明する。
（背面部１１３）
【００１９】
背面部１１３は、取り付けられる丁張板の一側面を支持する部分である。背面部１１３の中心部には円形穿孔１１６が設けられている。円形穿孔１１６は、後述する連結部１３のストッパー収容部１３３を担う部分である。また、背面部１１３の奥側には、円形穿孔１１６を覆うように補助板１１７が溶接されている。補助板１１７は、任意の形状の金属板であり、後述する連結軸１３１を摺回動可能に嵌通する挿通孔１１８が設けられている。尚、挿通孔１１８は、その中心軸が背面部１１３の中心軸（軸ＣＬ１）と一致するよう設けられている。また、円形穿孔１１６の形状は円形に限定される必要はなく、後述するストッパー１３２の回転を阻害しない大きさを有していればよい。
（天面部１１２・板固定ネジ１１９）
【００２０】
天面部１１２は、丁張板の上端部を押圧して固定するための板固定ネジ１１９が取り付けられる部分である。板固定ネジ１１９は、天面部１１２の端部付近（天面部１１２の長さ方向において、中心より端部に近い位置）に取り付けられている。板固定ネジ１１９が天面部１１２の中心部ではなく端部付近に取り付けられることにより、杭把持部１２に杭が挿通されている状態においても、杭が障害となることなく板固定ネジ１１９を回すことができる。
【００２１】
板固定ネジ１１９には、例えば、金属製のボルトの頭部に、適当な長さの金属棒の一端を、ネジの軸に直角に溶接し、把手付ネジとしたものを用いることができる。天面部１１２の板固定ネジ１１９が取り付けられる位置には、板固定ネジ１１９の雄ネジ部を挿通できる大きさの穿孔が設けられ、この穿孔の上に、板固定ネジ１１９の雄ネジ部に螺合できるナットが溶接されている。板固定ネジ１１９を回すことにより、板固定ネジ１１９のネジ先と、取り付けられる丁張板の上端部との間隔が調整でき、丁張板を押圧して固定したり、ネジ先を遠ざけて丁張板を取り外し可能な状態にしたりすることができる。
（底面部１１４・返し部１１５）
【００２２】
底面部１１４は、丁張板の下端部を支持する部分である。底面部１１４の手前端には、丁張板の脱落を防止する役割を担う、返し部１１５が接続されている。
（杭把持部１２）
【００２３】
杭把持部１２は、丁張用固定具１を杭に固定するための部材であり、例えば、図１に示すように、中空円筒状の把持板１２１と固定ネジ１２２とで構成される。尚、把持板１２１の形状は、中空円筒状に限定されず、把持板１２１と固定ネジ１２２のネジ先が杭を挟んで対峙するように構成されていればよい。また、固定ネジ１２２には、例えば、手で容易に回すことができる蝶ボルトを用いることができる。固定ネジ１２２を回すことにより、固定ネジ１２２のネジ先と杭の側面との間隔が調整でき、把持板１２１と固定ネジ１２２のネジ先との間に杭を把持・押圧して、杭に対して丁張用固定具１を固定したり、ネジ先を遠ざけて杭に対して丁張用固定具１をスライド可能な状態にしたりすることができる。
（連結部１３）
【００２４】
連結部１３は、丁張板保持部１１と杭把持部１２とを回動可能に連結する部材である。連結部１３は、丁張板保持部１１の一部である円形穿孔１１６、補助板１１７及び挿通孔１１８と、溶接により杭把持部１２と一体化された部材である連結軸１３１及びストッパー１３２とから構成される。
【００２５】
円形穿孔１１６及び補助板１１７により形成される空間は、丁張板保持部１１と杭把持部１２とを連結する際に、丁張板保持部１１の背面部１１３手前側に突起を生じさせないために設けられたストッパー収容部１３３である。
【００２６】
連結軸１３１は、金属製の円柱形部材であり、挿通孔１１８に摺回動可能に嵌通される。連結軸１３１の一端は杭把持部１２の把持板１２１に溶接されており、他端はストッパー１３２に溶接されている。連結軸１３１の長さは、補助板１１７の厚みと等しい。
【００２７】
ストッパー１３２は、丁張板保持部１１と杭把持部１２との軸ＣＬ１方向の位置関係を保つための部材である。これにより、連結軸１３１が挿通孔１１８から抜けないようにできる。ストッパー１３２は、例えば、金属製の円形の板状部材であり、その中心部において、連結軸１３１の一端に溶接されている。尚、ストッパー１３２は、ストッパー収容部１３３内に収容され、さらに軸ＣＬ１を中心に自在に回動できる形状でなければならないため、厚みは丁張板保持板１１１の厚み以下であり、半径は円形穿孔１１６の半径より小さくなければならない。また、ストッパー１３２の形状は円形に限られず、その周縁部と軸ＣＬ１との最長距離が、円形穿孔２６の周縁部と軸ＣＬ１との最短距離より短ければよい。
（第二実施例）
（丁張用固定具２の構成）
【００２８】
本発明を適用した第二実施例に係る丁張用固定具２を丁張板保持部２１側から見た斜視図を図４に示す。この図に示すように、丁張用固定具２は、丁張用固定具１の返し部１１５の長さ方向の中心部を一部、折り曲げずに手前側に突出させた構成となっている。第二実施例では、返し部２２は、長さ方向の中心部に設けられた２本のスリットの外側にのみ形成され、内側は底面部２３と同一平面をなすスタッフ支持部２４となる。スタッフ支持部２４の上面は、取り付けられる丁張板の下端面と同じ高さであるため、ここにスタッフを立てて高さを測定することにより、丁張板の下端面の高さを求めることができる。
【００２９】
尚、スタッフ支持部２４以外の構成は第一実施例と共通であるため説明は省略する。
（第三実施例）
（丁張用固定具３の構成）
【００３０】
本発明を適用した第三実施例に係る丁張用固定具３を第一丁張板保持部３１側から見た斜視図を図５に、第二丁張板保持部３２側から見た斜視図を図６に、第一丁張板保持部３１及び第二丁張板保持部３２の長さ方向の中心部において切断した場合の断面図を図７に示す。これらの図に示すように、丁張用固定具３は、第一丁張板保持部３１及び第二丁張板保持部３２が連結部３３によって回動可能に連結された構成となっている。第一丁張板保持部３１は、第一実施例における丁張板保持部１１と略同一構成であるが、連結部１３に関係する部分である円形穿孔１１６、補助板１１７及び挿通孔１１８を備えない点において異なっている。第二丁張板保持部３２は、第一実施例における丁張板保持部１１と同一構成である。連結部３３は、溶接により第一丁張板保持部３１と一体化された部材である連結軸３３１及びストッパー３３２と、第二丁張板保持部３２の一部である円形穿孔３２１、補助板３２２及び挿通孔３２３とから構成される。連結軸３３１が挿通孔３２３に摺回動可能に嵌通され、補助板３２２が第一丁張板保持部３１とストッパー３３２との間に介在することにより、第一丁張板保持部３１と第二丁張板保持部３２とが、互いの回転軸（軸ＣＬ２）方向の位置を保ちながら、回動可能に連結される。さらに、円形穿孔３２１及び補助板３２２により形成される空間であるストッパー収容部３３３内にストッパー３３２が収容されることにより、第二丁張板保持部３２の背面部３２４において丁張板が取り付けられる側面に突起が生じないよう構成される。
（連結部１３の変形例）
【００３１】
本発明を適用した第一実施例に係る丁張用固定具１の連結部１３の変形例について説明する。図８は、本発明を適用した第一実施例に係る丁張用固定具１の連結部１３の変形例である連結部１３ａを説明するための図であり、連結部１３ａを有する丁張用固定具１ａを丁張板保持部１１ａの長さ方向の中心部において切断した場合の断面図である。
【００３２】
第一実施例における連結部１３では、ストッパー収容部１３３や挿通孔１１８を形成するために、背面部１１３に補助板１１７が溶接されていたのに対し、連結部１３ａでは、背面部１１３ａを形成する金属板のみによりストッパー収容部１３３ａ及び挿通孔１１８ａが形成されている。
【００３３】
ストッパー収容部１３３ａは、背面部１１３ａを形成する金属板の中心部手前側が円盤状にくり抜かれることにより形成された空間であり、内部にストッパー１３２を回動可能に収容する。
【００３４】
ストッパー収容部１３３ａが形成されることにより、背面部１１３ａを形成する金属板が一段階薄くなっている部分を軸支部１３４と称する。軸支部１３４には、連結軸１３１を摺回動可能に嵌通する挿通孔１１８ａが設けられており、連結軸１３１を軸支することができる。尚、挿通孔１１８ａは、その中心軸が背面部１１３ａの中心軸（軸ＣＬ３）と一致するよう設けられている。また、軸支部１３４が杭把持部１２とストッパー１３２との間に介在することにより、丁張板保持部１１ａと杭把持部１２との軸ＣＬ３方向の位置関係を一定に保つことができる。
【００３５】
ストッパー収容部１３３ａの深さ及び軸支部１３４の厚みは、ストッパー１３２と軸支部１３４の双方に十分な強度が求められるため、背面部１１３ａを形成する金属板の厚みの２分の１程度であることが好ましい。
【００３６】
尚、連結部１３ａの構成は、第二実施例に係る丁張用固定具２及び第三実施例に係る丁張用固定具３にも適用可能である。
（本発明に係る丁張用固定具を用いた丁張掛けの作業手順）
【００３７】
本発明に係る丁張用固定具を用いた丁張の形として代表的なものを図９に例示する。図９Ａは丁張用固定具１及び丁張用固定具２を併用して掛けられた門型丁張、図９Ｂは丁張用固定具１及び丁張用固定具２を併用して掛けられた法丁張、図９Ｃは丁張用固定具１〜３を併用して掛けられた法丁張、図９Ｄは丁張用固定具２を用いて掛けられたトンボ型丁張の模式図である。
（１．門型丁張）
【００３８】
丁張用固定具１及び２の基本的な使用方法として、高さと位置を出すための門型丁張を掛ける際の作業手順を、図９Ａに示す模式図、及び、図１０に示すフローチャートに基づいて説明する。
【００３９】
まず、ステップＳＴ１０１において、測量等により定められた位置に杭ＭＳを２本打設する。次に、ステップＳＴ１０２において、一方の杭ＭＳに丁張用固定具１を、もう一方の杭ＭＳに丁張用固定具２を、それぞれの杭把持部１２，２６が杭ＭＳを外嵌するように嵌める。次に、ステップＳＴ１０３において、丁張用固定具２のスタッフ支持部２４にスタッフを立て、丁張用固定具２とスタッフとを一体として上下させながら、レベルでスタッフの目盛を読み取り、スタッフの基点が目標の高さになるよう調整する。次に、ステップＳＴ１０４において、丁張用固定具２の固定ネジ２７を締めて、丁張用固定具２を杭ＭＳに固定する。次に、ステップＳＴ１０５において、丁張板を各丁張用固定具に嵌める。丁張用固定具１の丁張板保持部１１及び丁張用固定具２の丁張板保持部２１に丁張板ＴＢ１を嵌め、丁張用固定具２のみ、板固定ネジ２５を締めて丁張板ＴＢ１を固定する。次に、ステップＳＴ１０６において、丁張板ＴＢ１の上端に水平器を当てて、丁張板ＴＢ１が水平になるよう調整する。最後に、ステップＳＴ１０７において、丁張用固定具１の固定ネジ１２２及び板固定ネジ１１９を締めて、丁張板ＴＢ１を杭ＭＳに固定する。
（２．法丁張）
（パターン１：丁張用固定具１及び２の併用）
【００４０】
切土や盛土を行う際に必要な法丁張を、丁張用固定具１及び２を併用して掛ける際の作業手順を、図９Ｂに示す丁張用固定具１及び２を併用して掛けられた法丁張の模式図、及び、図１１に示すフローチャートに基づいて説明する。
【００４１】
まず、ステップＳＴ２０１において、図１０に示す門型丁張掛けと同様の工程を経て、水平丁張板ＴＢ２を掛ける。次に、ステップＳＴ２０２において、出したい法面と水平丁張板ＴＢ２の下端との交点である基準点Ｐ１を求め、印を付ける。次に、ステップＳＴ２０３において、各杭ＭＳに丁張用固定具１を１個ずつ嵌める。次に、ステップＳＴ２０４において、各丁張用固定具１の丁張板保持部１１に法丁張板ＴＢ３を嵌める。次に、ステップＳＴ２０５において、法丁張板ＴＢ３の下端部を基準点Ｐ１に合わせながら、丁張用固定具１を上下にスライドさせて法丁張板ＴＢ３を目標の角度になるよう調整する。最後に、ステップＳＴ２０６において、丁張用固定具１の固定ネジ１２２及び板固定ネジ１１９を締めて法丁張板ＴＢ３を固定する。
（パターン２：丁張用固定具１〜３の併用）
【００４２】
例えば、急勾配の法丁張を掛ける際等に、丁張板を一方の杭には固定できても、もう一方の杭の高さが足りず所望の勾配を出せない場合がある。このような際には、丁張用固定具３を用いて、図９Ｃに示すような法丁張とすることで、所望の勾配を出すことが可能となる。このように丁張用固定具１〜３を併用して法丁張を掛ける際の作業手順を図９Ｃ及び図１１に示すフローチャートに基づいて説明する。
【００４３】
まず、ステップＳＴ２０１において、図１０に示す門型丁張掛けと同様の工程を経て、水平丁張板ＴＢ４を掛ける。次に、ステップＳＴ２０２において、出したい法面と水平丁張板ＴＢ４の下端との交点である基準点Ｐ２を求め、印を付ける。次に、ステップＳＴ２０３を行う前に、補助丁張板ＴＢ５を掛ける。各杭ＭＳに丁張用固定具１を１個ずつ嵌め、それぞれ適当な高さで固定し、それぞれの丁張板保持部１１に補助丁張板ＴＢ５を固定する。あるいは、先に補助丁張板ＴＢ５を丁張板保持部１１に嵌め、後で適当な高さに合わせてもよい。また、補助丁張板ＴＢ５は水平に掛けられる必要はない。次に、ステップＳＴ２０３において、丁張用固定具３の第一丁張板保持部３１（又は第二丁張板保持部３２）を用いて、丁張用固定具３を、水平丁張板ＴＢ４及び補助丁張板ＴＢ５のそれぞれに１個ずつ、底面部３１２（又は底面部３２５）が上になるように取り付ける。次に、ステップＳＴ２０４において、各丁張用固定具３の第二丁張板保持部３２（又は第一丁張板保持部３１）の底面部３２５（又は底面部３１２）が下になるようにして、各丁張用固定具３に法丁張板ＴＢ６を嵌める。次に、ステップＳＴ２０５において、丁張用固定具３をスライドさせて法丁張板ＴＢ６を目標の角度になるよう調整しながら、法丁張板ＴＢ６の下端部を基準点Ｐ２に合わせる。最後に、ステップＳＴ２０６において、丁張用固定具３の全ての板固定ネジ３１３，３２７を締めて法丁張板ＴＢ６を固定する。
（３．トンボ型丁張）
【００４４】
図９Ｄに示すような、高さを示すためのトンボ型丁張を掛ける際の作業手順は、門型丁張を掛ける際の丁張用固定具２を取り付ける工程と略同様であるため、図１０に示すフローチャートに基づいて説明する。まず、ステップＳＴ１０１において、測量等により定められた位置に杭ＭＳを１本打設する。次に、ステップＳＴ１０２において、杭ＭＳに丁張用固定具２を嵌める。次に、ステップＳＴ１０３において、丁張用固定具２のスタッフ支持部２４にスタッフを立て、丁張用固定具２とスタッフとを一体として上下させながら、レベルでスタッフの目盛を読み取り、スタッフの基点が目標の高さになるよう調整する。次に、ステップＳＴ１０４において、丁張用固定具２の固定ネジ２７を締めて、丁張用固定具２を杭ＭＳに固定する。次に、ステップＳＴ１０５において、丁張用固定具２の丁張板保持部２１に丁張板ＴＢ７を嵌め、板固定ネジ２５を締めて固定する。次に、ステップＳＴ１０６において、丁張板ＴＢ７の上端に水平器を当てて、丁張板ＴＢ７が水平になるよう調整する。最後に、ステップＳＴ１０７において、杭ＭＳと丁張用固定具２の丁張板保持部２１の背面部２８との間に木片などを楔ＫＢとして噛ませて丁張板ＴＢ７の角度を固定する。
（４．施工途中での丁張板の着脱）
【００４５】
施工途中において、丁張板を一時的に取り外す際には、丁張板を固定している板固定ネジ１１９，２５，３１３，３２７を緩め、丁張板を丁張板保持部１１，２１，３１，３２から取り外せばよい。また、丁張板を再び取り付ける際には、丁張板を丁張板保持部１１，２１，３１，３２に嵌め、板固定ネジ１１９，２５，３１３，３２７を締めて固定すれば、元の位置に丁張板を戻すことができる。さらに、２点で丁張板を固定している場合は、どちらか１点のみ丁張板を取り外し、もう一方の点における固定を維持しておくことで、固定された点を支点として丁張板を回動させることができ、元に戻す際に丁張板の長さ方向の位置がずれることもない。
（作用効果）
【００４６】
上記構成により、従来の丁張用具４を使用する利点を有しながら、釘により固定される木製の丁張の安定性及び準備容易性を兼ね備えた丁張掛けを実現することができる。具体的には、丁張掛け作業に、本発明を適用した第一実施例に係る丁張用固定具１を用いることで、以下に記す利益を全て享受することができる。
（１）杭と丁張板との固定が丁張用固定具１によって行われるため、丁張を解体する際に丁張用固定具１の固定ネジ１２２及び板固定ネジ１１９を緩めるだけで取り外しが可能となり、杭や丁張板を再利用できる状態に容易に戻すことができる。
（２）固定に釘を用いないため、丁張に用いる杭として、釘を打ち込むことのできない金属製のものを使用することができ、木製の杭を用いる場合に比べて、固い地盤に杭を打ち込む際の労力が軽減される。
（３）丁張用固定具１と杭との間の固定と、丁張用固定具１と丁張板との間の固定とが独立しているため、杭に対する丁張用固定具１の位置を変えることなく、丁張板だけを必要に応じて着脱することができる。
（４）丁張板保持部１１の内側に突起がないため、専用の丁張板を用意する必要がなく、一般的に用いられる丁張板で丁張掛けを行うことができる。
（５）杭把持部１２と連結軸１３１の接続部及び連結軸１３１とストッパー１３２の接続部が溶接によって接合されているため、杭把持部１２と丁張板保持部１１との連結が緩むことなく、固定状態が安定である。
【００４７】
また、本発明を適用した第二実施例に係る丁張用固定具２によれば、丁張掛けの作業手順を簡略化することができる。例えば、門型丁張掛け作業におけるステップＳＴ１０３の工程は、従来の丁張掛け作業においては、図１３のフローチャートに示されるような複数の工程に相当する。まず、ＳＴ３０１において、杭の頭等のスタッフを立てることのできる一点を基準点として定め、釘を打つ等して印を付ける。次に、ＳＴ３０２において、ＳＴ３０１で定めた基準点にスタッフを立て、レベルでスタッフの目盛を読み、基準点の高さを測定する。次に、ＳＴ３０３において、目標の高さと基準点の高さとの差を計算により求める。最後に、ＳＴ３０４において、基準点を基点として、杭にメジャーを合わせ、ＳＴ３０３において求めた高さの差分を測り取ることで、目標の高さを得る。このように、従来技術による丁張掛けでは、目標の高さを得るまでに、基準点の測定という工程を経る必要があった。一方、本発明を適用した第二実施例に係る丁張用固定具２にはスタッフ支持部２４が設けられているため、ＳＴ１０３の説明に記したように、基準点の測定を経ずに、より単純な手順で目標の高さを得ることができる。これは、法丁張及びトンボ型丁張を掛ける作業においても同様である。このように、作業手順が簡略化されることで、作業効率の向上が期待できる。
【００４８】
さらにまた、本発明を適用した第三実施例に係る丁張用固定具３によれば、丁張板に丁張板を固定することが可能となる。これにより、丁張板の取り付け可能範囲が広がり、現場の状況に柔軟に対応した丁張掛けを行うことができる。
【産業上の利用可能性】
【００４９】
本発明に係る丁張用固定具は、土木工事の現場における丁張掛けに好適に使用できる。
【符号の説明】
【００５０】
１、１ａ…丁張用固定具
１１、１１ａ…丁張板保持部、１１１…丁張板保持板、１１２…天面部、１１３、１１３ａ…背面部、１１４…底面部、１１５…返し部、１１６…円形穿孔、１１７…補助板、１１８、１１８ａ…挿通孔、１１９…板固定ネジ
１２…杭把持部、１２１…把持板、１２２…固定ネジ
１３、１３ａ…連結部、１３１…連結軸、１３２…ストッパー、１３３、１３３ａ…ストッパー収容部、１３４…軸支部
２…丁張用固定具、２１…丁張板保持部、２２…返し部、２３…底部、２４…スタッフ支持部、２５…板固定ネジ、２６…杭把持部、２７…固定ネジ
３…丁張用固定具
３１…第一丁張板保持部、３１１…背面部、３１２…底面部、３１３…板固定ネジ
３２…第二丁張板保持部、３２１…円形穿孔、３２２…補助板、３２３…挿通孔、３２４…背面部、３２５…底面部
３３…連結部、３３１…連結軸、３３２…ストッパー、３３３…ストッパー収容部
４…丁張用具、４１…杭部材、４２…長尺部材、４３…保持具、４３１…杭把持部、４３２…長尺部材保持部、４３３…連結ボルト、４３４、４３５…締付ボルト
ＣＬ１、ＣＬ２、ＣＬ３…軸
ＴＢ１、ＴＢ７…丁張板、ＴＢ２、ＴＢ４…水平丁張板、ＴＢ３、ＴＢ６…法丁張板、ＴＢ５…補助丁張板
Ｐ１、Ｐ２…基準点
ＭＳ…杭
ＫＢ…楔
【図１】
2018185189.tif 000003
【図２】
2018185189.tif 000004
【図３】
2018185189.tif 000005
【図４】
2018185189.tif 000006
【図５】
2018185189.tif 000007
【図６】
2018185189.tif 000008
【図７】
2018185189.tif 000009
【図８】
2018185189.tif 000010
【図９】
2018185189.tif 000011
【図１０】
2018185189.tif 000012
【図１１】
2018185189.tif 000013
【図１２】
2018185189.tif 000014
【図１３】
2018185189.tif 000015